(57)【特許請求の範囲】
【請求項１】
上下の装着面と、前面部と、後面部と、左右側面部とを有する平面視略横長矩形をしたヘッド本体の装着面に面して装着された拭取布を下敷きにした状態で前後左右に移動させられるモップのヘッドであって、
上記ヘッド本体の前面部には、上記拭取布の前端部分を、これを挿入した状態で保持する前部保持部が設けられているとともに、上記ヘッド本体の左右側面部の後方側には、それぞれ上記拭取布の左右両端部分を、これを挿入した状態で保持する側部保持部が、上記ヘッド本体の後面部の両端部にかけて連続して回り込むようにして設けられていることを特徴とする、モップのヘッド。
【請求項２】
上記ヘッド本体には、その厚み方向に相互に向かい合う状態で、上記前部保持部および側部保持部を構成する前部保持片および側部保持片が形成されているとともに、これらの保持片の奥部には、上記拭取布の端部分を収容するためのスペースが設けられている、請求項１に記載のモップのヘッド。
【請求項３】
上記ヘッド本体の装着面の所定部位には、上記拭取布に対してすべり止め用の突起が形成されている、請求項１または請求項２に記載のモップのヘッド。
【請求項４】
上記ヘッド本体は、上下分割式の本体構成部品を接合させた２ピース構造とされ、上記両本体構成部品には、それぞれ上記前部保持片および側部保持片が形成されている、請求項２または請求項３に記載のモップのヘッド。
【請求項５】
上記両本体構成部品の各接合部には、これらの両部品を継ぎ合わせるための継合突起が左右に振り分けて配置され、かつ、左右対称に位置する２つの継合突起が一対の対応関係となるように形成されている、請求項４に記載のモップのヘッド。
【請求項６】
上記両本体構成部品は、樹脂成形品により形成されている、請求項４または請求項５に記載のモップのヘッド。
【請求項７】
操作用の柄の先端部に拭取布装着用のヘッド本体が連結されたモップであって、
上記ヘッド本体は、請求項１ないし請求項６のいずれかに記載のモップのヘッドであることを特徴とする、モップ。
【請求項８】
上記柄とヘッド本体とは、互いに回転軸を中心として転回可能に連結されているとともに、上記ヘッド本体の上記回転軸を支持する付近には、上記柄の先端部が転回できるスペースとして凹部が形成されている、請求項７に記載のモップ。
【発明の詳細な説明】
【０００１】
【発明の属する技術分野】
本願発明は、たとえば雑巾などを拭取布として水拭きや乾拭きなどに利用されるモップのヘッドおよびこれを用いたモップに関する。
【０００２】
【従来の技術】
床や畳などの雑巾がけ、あるいは手の届かない窓ガラスなどの拭き掃除に利用されるモップは、操作用の柄の先端部に拭取布装着用のヘッド本体が連結された構造を有し、たとえば柄とヘッド本体とは、互いに回転軸を介して転回可能に連結されている。そして、ヘッド本体には、その片面に面して拭取布が装着されるが、その装着方法としては、拭取布の端部分をバネなどでクリップ式に挟み付ける形態や、ヘッド本体の間に挟み込むような形態がある。
【０００３】
拭取作業の際には、拭取布を下敷きにした状態でヘッド本体が主に前後に移動させられ、ヘッド本体に装着された拭取布を床面などの拭取面に押し付けるようにして作業が行われる。このような拭取作業において拭取布のめくれを防止するため、上記いずれの装着形態にあっても拭取布は、その前端部分がヘッド本体の前部に必ず保持されている。また、片方の前端部分だけが保持されるのでは、ヘッド本体が後退する際に拭取布が簡単にめくれてしまうことから、拭取布の後端部分もヘッド本体の後部に保持されている。
【０００４】
【発明が解決しようとする課題】
上記従来のモップでは、拭取作業における拭取布のめくれを防止するため、ヘッド本体の前後両側で拭取布の前後両端部分を保持したが、拭取作業においては、ヘッド本体が前後に移動されるだけでなく左右方向にも移動させられる。もちろん、ヘッド本体はどの方向にも移動できるが、特に左右方向に移動させた場合、拭取布の左右両端部分がヘッド本体に保持されていないため、その端部分が逆方向に少しめくれてしまう。そうすると、床などにおけるコーナー付近では、各隅に付着したごみなどをうまく拭き取ることができずに拭き残しを生じてしまうこととなった。また、コーナー付近での拭き残しを防ぐためには、作業者自身がヘッド本体とともに向きを変えるなどして要領良くヘッド本体を操作しなければならず、こうした点から従来の前後保持式のヘッド本体では、ゴミなどの付着しやすいコーナー付近の拭き取りに難点があった。
【０００５】
また、ヘッド本体の左右側面部は、拭取布に覆われることなく露出した状態であるため、ヘッド本体を左右方向に移動させると、その左右側面部がコーナー付近の壁や家具などに当たって傷つけてしまうおそれがあり、このような点からもヘッド本体の改良が求められていた。
【０００６】
さらに、前後保持式のヘッド本体では、拭取布を装着する際、たとえば前部に拭取布の前端部分を装着保持させた後、後部を反転させて拭取布の後端部分を装着保持させなければならず、構造的にも前後両方同時に拭取布を装着させるには無理があった。そのため、慣れるまでは拭取布の取り替えなどに手こずり、ヘッド本体に対して拭取布を装着しづらいという問題があった。
【０００７】
そこで、本願発明は、上記した事情のもとで考え出されたものであって、コーナー付近での拭取作業を隅々にわたって効率良く行うことができるとともに、そのようなコーナー付近にある物に対して傷つけるおそれもなく、しかも、ヘッド本体に対して拭取布を容易に装着することができるモップのヘッド、およびこれを用いたモップを提供することをその課題とする。
【０００８】
【発明の開示】
上記課題を解決するため、本願発明では、次の技術的手段を講じている。
【０００９】
すなわち、本願発明の第１の側面により提供されるモップのヘッドは、上下の装着面と、前面部と、後面部と、左右側面部とを有する平面視略横長矩形をしたヘッド本体の装着面に面して装着された拭取布を下敷きにした状態で前後左右に移動させられるモップのヘッドであって、上記ヘッド本体の前面部には、上記拭取布の前端部分を、これを挿入した状態で保持する前部保持部が設けられているとともに、上記ヘッド本体の左右側面部の後方側には、それぞれ上記拭取布の左右両端部分を、これを挿入した状態で保持する側部保持部が、上記ヘッド本体の後面部の両端部にかけて連続して回り込むようにして設けられていることを特徴としている。なお、ヘッド本体はヘッドそのものである。
【００１０】
上記技術的手段が講じられた本願発明の第１の側面により提供されるモップのヘッドでは、拭取布の前端部分がヘッド本体の前面部における前部保持部によって保持される一方、その左右両端部分がヘッド本体の左右側面部における側部保持部によって保持される。つまり、拭取布は、ヘッド本体の前面部から左右側面部および後面部にかけて大きく広げられて装着面を覆うようにされた状態で、前部保持部および左右両側の側部保持部の３箇所にわたって保持される。これにより、拭取布を下敷きにした状態でヘッド本体を前後左右に移動させても、３箇所で保持された拭取布がめくれることはない。そして、床などにおけるコーナー付近にヘッド本体を近づけて拭取作業を行う場合、ヘッド本体の前面部のみならず左右側面部も拭取布によって覆われるため、コーナー付近の各隅に付着したゴミなどが前側および左右両側の拭取布によって効率良く拭き取られる。したがって、本願発明の第１の側面に係るモップのヘッドによれば、コーナー付近における拭き残しを少なくすることができるとともに、作業者自身がヘッド本体とともに向きを変える必要もなく、そのまま前後左右にヘッド本体を移動させながらゴミなどの付着しやすいコーナー付近の拭取作業を隅々にわたって効率良く行うことができる。
【００１１】
また、ヘッド本体の左右側面部が拭取布によって覆われるため、ヘッド本体を左右方向に移動させながらコーナー付近で拭取作業を行っても、その左右側面部がコーナー付近の壁や家具などに直接当たることはなく、拭取布をクッションとしてコーナー付近にある物を傷つけるおそれがない。
【００１２】
さらに、ヘッド本体に拭取布を装着する際には、たとえば拭取布の前端部分を前部保持部に保持させ、そのまま同時に拭取布の左右両端部分を左右両側へと引っ張りながら左右側面部の側部保持部に保持させることができる。したがって、拭取布の取り替えなどの際には、拭取布の端部分をヘッド本体の所定の部位に単に保持させるだけで誰でも簡単に取り扱うことができ、ヘッド本体に対して拭取布を容易に装着することができる。
【００１３】
なお、上記ヘッド本体には、その厚み方向に相互に向かい合う状態で、上記前部保持部および側部保持部を構成する前部保持片および側部保持片が形成されているとともに、これらの保持片の奥部には、上記拭取布の端部分を収容するためのスペースが設けられている構成が好ましい。このような構成によれば、拭取布の前端部分および左右両端部分のそれぞれを上記前部保持片および側部保持片の側方から差し込みつつ、奥部のスペースに押し込めておくことができ、拭取布の端部分を確実に保持した状態とすることができる。
【００１４】
また、上記ヘッド本体の装着面の所定部位には、上記拭取布に対してすべり止め用の突起が形成されている構成が好ましい。このような構成によれば、拭取作業を行う際、すべり止め用の突起の弾性復元力により拭取布が床などの拭取面に対して押さえつけられるので、拭取布を常に拭取面に接触させた状態で拭き残しを防ぐことができるとともに、ヘッド本体が後退する際の拭取布のめくれを効果的に防止することができる。
【００１５】
さらに具体的構成として好ましい実施の形態としては、上記ヘッド本体は、上下分割式の本体構成部品を接合させた２ピース構造とされ、上記両本体構成部品には、それぞれ上記前部保持片および側部保持片が形成されている構成とすることができる。このような構成によれば、従来のクリップ式などに比べて部品点数が少なく、比較的軽い２つの本体構成部品からなるヘッド本体とすることができる。
【００１６】
他の好ましい実施の形態としては、上記両本体構成部品の各接合部には、これらの両部品を継ぎ合わせるための継合突起が左右に振り分けて配置され、かつ、左右対称に位置する２つの継合突起が一対の対応関係となるように形成されている構成とすることができる。このような構成によれば、両本体構成部品の各接合部を重ね合わせると、互いに一対の対応関係となる継合突起同士が向き合う状態で継ぎ合わされ、上下に本体構成部品が一体となってヘッド本体が完成される。つまり、上下２つの本体構成部品は、全く同一のかたちとして製作され、これらのうちの一方を左右反転させた状態で他方に向かい合わせにして接合される。これにより、一対となるべき継合突起同士が互いに対置しつつ整合して両本体構成部品が一体化されるので、ヘッド本体を構成する２つの本体構成部品を１つの型から製作することができ、別々に２つの部品を製作する必要もないことからヘッド本体の製造コストを抑えることができる。
【００１７】
このような両本体構成部品は、樹脂成形品により形成されている構成とすることができる。このような構成によれば、たとえばある程度軟性の樹脂成形品とした本体構成部品とすることにより、弾性変形可能な上記保持片や突起が形成されるので、拭取布の装着や本体構成部品の接合の際には、これらの保持片や突起などを簡単に変形させながら首尾良く所定の作業を行うことができる。
【００１８】
本願発明の第２の側面により提供されるモップは、操作用の柄の先端部に拭取布装着用のヘッド本体が連結されたモップであって、上記ヘッド本体は、上記した本願発明の第１の側面に係るモップのヘッドであることを特徴とする。
【００１９】
このようなモップによれば、柄でヘッド本体を操作しながら拭取作業を行うことにより、上記したように、コーナー付近を隅々にわたって効率良く拭き取ることができるとともに、コーナー付近にある物を傷つけるおそれもなく、しかも、ヘッド本体に対して拭取布を容易に装着することができる。
【００２０】
なお、上記柄とヘッド本体とは、互いに回転軸を中心として転回可能に連結されているとともに、上記ヘッド本体の上記回転軸を支持する付近には、上記柄の先端部が転回できるスペースとして凹部が形成されているのが好ましい。このような構成によれば、拭取作業に際して作業者がヘッド本体を操作する際、そのヘッド本体に対して柄をある程度自由に転回させることができ、ヘッド本体を拭取面に対して正常な姿勢に保ちながら前後左右に移動させることができる。
【００２１】
本願発明のその他の特徴および利点は、添付図面を参照して以下に行う詳細な説明によって、より明らかとなろう。
【００２２】
【発明の実施の形態】
以下、本願発明の好ましい実施の形態について、図面を参照して具体的に説明する。
【００２３】
図１は、本願発明に係るモップの一実施形態を示した概略斜視図であって、この図に示すように、モップＭＰは、操作用の柄１０の先端部に拭取布装着用のヘッド本体３０を連結して構成される。柄１０の本体１１は、たとえばスチールパイプに樹脂などをコーティングしたものが用いられる。柄１０の先端部には、ジョイント部材１２が取り付けられており、このジョイント部材１２の先端に回転軸２０を介してヘッド本体３０を取り付けている。したがって、柄１０とヘッド本体３０は、互いに回転軸２０を中心として転回可能である。
【００２４】
ヘッド本体３０は、図に外観を示すように、ある程度の厚みを有して雑巾などの拭取布ＣＬよりも若干小さい外形を呈している。つまり、ヘッド本体３０は、拭取布ＣＬを一面に広げて装着される上下両側の装着面、前方Ｆｗおよび後方Ｂｗに向けられた前面部と後面部、ならびに左右各側Ｌｓ，Ｒｓに向けられた左右側面部を有している。なお、各部については、後述する本体構成部品の一部として符号を付すことから、図１においては符号を省略する。このようなヘッド本体３０は、全く同一のかたちをした２つの本体構成部品３１，３１を上下分割式に接合した２ピース構造とされている。ヘッド本体３０の前面部には、拭取布ＣＬの前端部分を保持するための前部保持部３２，３２が設けられているとともに、その左右側面部における後方側には、拭取布ＣＬの左右両端部分を保持するための側部保持部３３（右側Ｒｓのものは図示省略）が設けられている。このようなヘッド本体３０の片側の装着面に面して拭取布ＣＬが装着され、その拭取布ＣＬを下敷きにして柄１０でヘッド本体３０を操作しながら拭取作業が行われる。
【００２５】
図２は、ヘッド本体３０の装着面を示した平面図、図３は、ヘッド本体３０の前面部を示した正面図、図４は、ヘッド本体３０の左側面部を示した側面図、図５は、ヘッド本体３０の中央断面を示した断面図である。これらの図を参照して簡単に説明すると、ヘッド本体３０の前面部に設けられた前部保持部３２，３２は、厚み方向に相互に向かい合う状態で本体構成部品３１，３１の所定箇所に形成された前部保持片３１ｃ，３１ｃが一対となって構成されたものである。また、ヘッド本体３０の左右側面部に設けられた側部保持部３３，３３は、厚み方向に相互に向かい合う状態で本体構成部品３１，３１の所定箇所に形成された側部保持片３１ｄ，３１ｅが一対となって構成されたものである。さらに、ヘッド本体３０の表裏両面となる装着面には、拭取布ＣＬに対してすべり止め用の突起３１ｂが形成されている。
【００２６】
さらに、ヘッド本体３０を構成する本体構成部品３１の細部について具体的に図面を参照して説明する。図６は、本体構成部品３１の装着面の反対側となる接合部を示した平面図、図７は、図６のＸ方向から見た側面図、図８ないし図１３のそれぞれは、図６のＡ−Ａ断面、Ｂ−Ｂ断面、Ｃ−Ｃ断面、Ｄ−Ｄ断面、Ｅ−Ｅ断面、Ｆ−Ｆ断面を示した各断面図である。
【００２７】
これらの図と先述の図２ないし図５に示す本体構成部品３１は、たとえばＥＶＡ樹脂（エチレン酢酸ビニル共重合体）などの軟質材を所定の型に流し込んで成形される。各図を参照して本体構成部品３１の各部について見ると、まず図２に良く示すように、本体構成部品３１の装着面３１Ａは、全体的に平坦な面として拭取布ＣＬより若干小さく、たとえば約９０×１８０ｍｍ程度の縦横寸法に形成される。装着面３１Ａの中央から後方には、ジョイント部材１２が転回できるスペースとして凹部３１ａを形成している。装着面３１Ａの後方側２箇所には、斜め後方に突き出るかたちのすべり止め突起３１ｂを形成している。すべり止め突起３１ｂの先端は、拭取布ＣＬの引っかかりを良くするために波状に形成されている。
【００２８】
図６に外形全体を示す接合部３１Ｂには、前面部３１Ｃに位置する上記前部保持部３２の構成部材として、若干内側に向けて突き出るかたちの前部保持片３１ｃを形成している。また、接合部３１Ｂには、左右側面部３１Ｅ，３１Ｆの後方側に位置する上記側部保持部３３の構成部材として、真っ直ぐに突き出て先端が歯状の側部保持片３１ｄ，３１ｅを形成している。この側部保持片３１ｄ，３１ｅの一部は、後面部３１Ｄ側へと回り込むように形成されている。これらの前部保持片３１ｃおよび側部保持片３１ｄ，３１ｅは、軟質材でできているため手の力で簡単に変形させることができる。さらに、接合部３１Ｂには、互いに他側につき合わされて一対の対応関係となる鉤状、筒状、十字状とした３種類の継合突起３１ｆ，３１ｇ，３１ｈを形成している。これらの継合突起３１ｆ，３１ｇ，３１ｈは、接合部３１Ｂ上において左右に振り分けて配置され、かつ、左右対称に位置する２つの継合突起同士が一対の対応関係となるように形成されている。たとえば、図６左上に示す鉤状の継合突起３１ｆは、同図右上に示す鉤状の継合突起３１ｆとフッキング可能な形状とされ、また、同図右中程に示す十字状の継合突起３１ｈは、同図左中程に示す筒状の継合突起３１ｇに挿入できるような形状とされている。なお、これらの継合突起３１ｆ，３１ｇ，３１ｈは、２つの本体構成部品３１を継ぎ合わせる際に用いられる。また、すべり止め突起３１ｂ、前部保持片３１ｃ、および鉤状突起３１ｆの周辺には、各突起形状に応じて型抜きを容易とするために開口が形成されている。
【００２９】
さらに、接合部３１Ｂの表面上には、前後左右にわたって各種高さの異なる補強用のリブ３１ｊ，３１ｋを形成している。このようなリブ３１ｊ，３１ｋを形成することにより、本体構成部品３１は、軟らかい材質としつつもある程度の剛性を有している。また、符号３１ｋで示すリブは、その部分に上記回転軸２０が配置されることから先端が半円状とされている。
【００３０】
次に、図３ないし図５を主に参照して両本体構成部品３１，３１の接合形態について説明する。
【００３１】
まず、両本体構成部品３１，３１は、双方の接合部３１Ｂを対面させるようにして接合されるが、この際、図６に示す各本体構成部品３１，３１の接合部３１Ｂにおいては、継合突起３１ｆ，３１ｇ，３１ｈなどが左右に振り分けて配置されていることから、一方の右半分が他方の左半分に、他方の右半分が一方の左半分に対面した状態とされる。そうすると、フッキング可能な鉤状の継合突起３１ｆ，３１ｆ同士が互いに一致して引っかけ合わされるとともに、筒状と十字状の継合突起３１ｇ，３１ｈ同士も互いに一致して嵌め合わされる。これにより、２つの本体構成部品３１，３１が一体となって確実に接合され、頑丈なかたちのヘッド本体３０が構成される。
【００３２】
このように両本体構成部品３１，３１が一体となった状態では、図３ないし図５に良く示すように、双方の前部保持片３１ｃ，３１ｃが互いに対峙して咬み合うかたちとなってくの字状の上記前部保持部３２が構成されるとともに、双方の側部保持片３１ｄ，３１ｅが互いに対峙して咬み合うかたちで上記側部保持部３３が構成される。このような前部保持部３２および側部保持部３３には、拭取布ＣＬの端部分が差し込むようにされるが、前部保持部３２および側部保持部３３よりも奥部には、余分な拭取布ＣＬの前端部分や左右両端部分を押し込んだ状態で収容するためのスペース３１ｍ，３１ｎが形成される。なお、側部保持部３３を構成する双方の側部保持片３１ｄ，３１ｅは、交互に食い違う状態とされることから、一つの本体構成部品３１，３１における左右両側の側部保持片３１ｄ，３１ｅは、ほぼ半ピッチ分ずれた形状とされている。
【００３３】
さらに、図５に良く示すように、双方のリブ３１ｋ，３１ｋが互いに対峙し合うことにより、ヘッド本体３０の内部には、回転軸２０を支持するかたちの円形部３１ｐが形成される。この円形部３１ｐに回転軸２０を挿入した状態でヘッド本体３０が柄１０に対して取り付けられ、ヘッド本体３０は、図５の矢印に示す方向に転回可能とされる。
【００３４】
次に、上記構成を有するモップＭＰの作用、主にヘッド本体３０の作用について、図面を参照して説明する。なお、以下に挙げる各図においては、便宜上、細部の構成を図示省略する。
【００３５】
図１４ないし図１７は、ヘッド本体３０に対する拭取布ＣＬの装着方法を説明するために示した模式図である。まず、図１４に示すように拭取布ＣＬの最も簡単な装着方法としては、ヘッド本体３０を上にして柄１０を逆さまに立ち上げた状態とする。そして、ヘッド本体３０が回転しないように手で押さえつつ、拭取布ＣＬの前端部分をヘッド本体３０の前面部３０Ｃに当てた状態で拭取布ＣＬの左右両端部分を引き下げる。そうすると、拭取布ＣＬの前端部分が前部保持部３２，３２に差し込まれた状態となる。このとき、前部保持部３２，３２は、容易に変形することから簡単に拭取布ＣＬを差し込むことができ、しかも前部保持部３２の形状に応じて拭取布ＣＬの前端部分がしっかりと止め押さえられる。
【００３６】
上記装着方法とは別の方法として、図１５に示すように、拭取布ＣＬの前端部分を前面部３０Ｃの前部保持部３２，３２ごとに一カ所ずつ差し込むようにして保持させることも可能である。
【００３７】
続いて、図１６に示すように、拭取面側の装着面３０Ａ全体に面して広がるように拭取布ＣＬを折り返した後、その拭取布ＣＬの左右両端部分をヘッド本体３０の左右側面部３０Ｅ，３０Ｆに差し込む。そうすると、拭取布ＣＬの左右両端部分は、左右側面部３０Ｅ，３０Ｆにおける側部保持部３３，３３にくわえ込まれた状態となる。この際、ヘッド本体３０の回転軸方向に沿って手の力が作用するため、ヘッド本体３０がそれほど回転することはなく、落ち着いた状態で拭取布ＣＬの装着を行うことができる。
【００３８】
図１７は、ヘッド本体３０に拭取布ＣＬが完全に装着された状態を示した模式図であって、この図に示すように、ヘッド本体３０の前面部３０Ｃおよび左右側面部３０Ｅ，３０Ｆは、拭取布ＣＬの一部が差し込まれた状態で下半分全体が覆われる。特に、左右側面部３０Ｅ，３０Ｆは、図中黒く塗りつぶした部分で示すように、拭取布ＣＬの左右両端部分によって覆われた状態とされる。つまり、拭取布ＣＬは、ヘッド本体３０の下半分全体をほぼ覆う状態に装着される。一方、拭取布ＣＬの前端部分を前部保持部３２，３２に差し込んだ状態で、ヘッド本体３０の下側の装着面３０Ａから上側の装着面３０Ａへと反転させるようにして裏返しにすることもできる。この場合、拭取布ＣＬの左右両端部分を側部保持部３３，３３から一旦はずした後、再び図１６に示すような方法でセットすれば良い。これにより、拭取布ＣＬの片側面が拭取部分として十分に使用されて汚れると、拭取布ＣＬをヘッド本体３０から完全にはずすことなくその両面を使用することができる。
【００３９】
次に、図１８ないし図２０は、拭取作業に伴うヘッド本体３０の作用を説明するために示した模式図である。まず、図１８の矢印で示すように、拭取作業の際には、拭取布ＣＬを下敷きにした状態でヘッド本体３０が前後左右に移動させられ、図２０に示すように、ヘッド本体３０に装着された拭取布ＣＬを床面などの拭取面ＦＬに押し付けるようにして作業が行われる。このような拭取作業においては、すべり止め突起３１ｂの弾性復元力によって拭取布ＣＬが拭取面ＦＬに対して確実に押し付けられた状態とされる。これにより、拭取面ＦＬに拭き残しが生じないものとされる。
【００４０】
また、拭取布ＣＬは、ヘッド本体３０の前面部３０Ｃと左右側面部３０Ｅ，３０Ｆの３カ所にわたって保持されていることから、ヘッド本体３０を前後左右に移動させても拭取布ＣＬが容易にめくれることはなく、順調に拭取作業を進めることができる。
【００４１】
さらに、図１９および図２０に示すように、ヘッド本体３０をコーナー付近に近づけて作業を行う場合、ヘッド本体３０の前面部３０Ｃのみならず左右側面部３０Ｅ，３０Ｆも拭取布ＣＬに覆われているため、コーナー付近の各隅に付着したゴミなどが前側および左右両側の拭取布ＣＬによって効率良く拭き取られることとなる。この際、ヘッド本体３０の前面部３０Ｃや左右側面部３０Ｅ，３０Ｆがコーナー付近の壁Ｗや家具などに直接当たることはなく、拭取布ＣＬがクッションとなることからコーナー付近にある壁Ｗや家具などを傷つけるおそれがない。また、たとえヘッド本体３０が直接当たったとしても、ヘッド本体３０自体が軟らかい材質でできているため、それほど壁Ｗや家具などを傷つけるおそれがない。
【００４２】
したがって、上記構成、作用を有するモップＭＰによれば、コーナー付近における拭き残しを少なくすることができるとともに、作業者自身がヘッド本体３０とともに向きを変える必要もなく、そのまま前後左右にヘッド本体３０を移動させながらゴミなどの付着しやすいコーナー付近の拭取作業を隅々にわたって効率良く行うことができる。
【００４３】
また、ヘッド本体３０の左右側面部３０Ｅ，３０Ｆは拭取布ＣＬに覆われるため、ヘッド本体３０を左右方向に移動させながらコーナー付近で拭取作業を行っても、その左右側面部３０Ｅ，３０Ｆがコーナー付近の壁Ｗや家具などに直接当たることはなく、またヘッド本体３０自体が軟らかくてクッションとなることから、コーナー付近にある物を傷つけることなく拭取作業を行うことができる。
【００４４】
さらに、拭取布ＣＬの取り替えなどの際には、拭取布ＣＬの端部分をヘッド本体３０の前面部３０Ｃや左右側面部３０Ｅ，３０Ｆに単に差し込むようにして誰でも簡単に取り扱うことができ、ヘッド本体３０に対して拭取布ＣＬを容易に装着することができる。
【００４５】
さらにまた、上記構成を有するヘッド本体３０は、上下２つの本体構成部品３１，３１が継合突起３１ｆ，３１ｇ，３１ｈを介して確実に接合された構造であり、各本体構成部品３１は、軟らかい材質により形成されているので、軽量で操作性に優れつつも頑丈なかたちのヘッド本体３０を構成することができる。
【００４６】
その上、ヘッド本体３０を構成する２つの本体構成部品３１，３１は、１つの型から製作された同一形状のものであるので、別々に２つの部品を製作する必要もないことからヘッド本体３０の製造コストを抑えることができる。
【００４７】
なお、本願発明の範囲は上述の実施形態に限定されるものではなく、各請求項に記載した事項の範囲内での設計的な変更は、すべて本願発明の範囲内に含まれる。たとえば、前部保持部３２を設ける箇所は、２箇所に限定されない。また、前部保持部３２を側部保持部３３のような歯状の側部保持片３１ｄ，３１ｅによって構成しても良い。
【図面の簡単な説明】
【図１】本願発明に係るモップの一実施形態を示した概略斜視図である。
【図２】図１に示すヘッド本体の装着面を示した平面図である。
【図３】図１に示すヘッド本体の前面部を示した正面図である。
【図４】図１に示すヘッド本体の左側面部を示した側面図である。
【図５】図１に示すヘッド本体の中央断面を示した断面図である。
【図６】本体構成部品の装着面の反対側となる接合部を示した平面図である。
【図７】図６のＸ方向から見た側面図である。
【図８】図６のＡ−Ａ断面を示した断面図である。
【図９】図６のＢ−Ｂ断面を示した断面図である。
【図１０】図６のＣ−Ｃ断面を示した断面図である。
【図１１】図６のＤ−Ｄ断面を示した断面図である。
【図１２】図６のＥ−Ｅ断面を示した断面図である。
【図１３】図６のＦ−Ｆ断面を示した断面図である。
【図１４】ヘッド本体に対する拭取布の装着方法を説明するために示した模式図である。
【図１５】ヘッド本体に対する拭取布の装着方法を説明するために示した模式図である。
【図１６】ヘッド本体に対する拭取布の装着方法を説明するために示した模式図である。
【図１７】ヘッド本体に対する拭取布の装着方法を説明するために示した模式図である。
【図１８】拭取作業に伴うヘッド本体の作用を説明するために示した模式図である。
【図１９】拭取作業に伴うヘッド本体の作用を説明するために示した模式図である。
【図２０】拭取作業に伴うヘッド本体の作用を説明するために示した模式図である。
【符号の説明】
ＭＰ                    モップ
ＣＬ                    拭取布
１０                    柄
２０                    回転軸
３０                    ヘッド本体
３０Ａ                  装着面
３０Ｃ                  前面部
３０Ｅ                  左側面部
３０Ｆ                  右側面部
３１                    本体構成部品
３１Ａ                  装着面
３１Ｂ                  接合部
３１Ｃ                  前面部
３１Ｅ                  左側面部
３１Ｆ                  右側面部
３１ａ                  凹部
３１ｂ                  すべり止め突起
３１ｃ                  前部保持片
３１ｄ，３１ｅ          側部保持片
３１ｆ，３１ｇ，３１ｈ  継合突起
３１ｊ，３１ｋ          リブ
３２                    前部保持部
３３                    側部保持部
【図１】
0003612450.tif 000002
【図２】
0003612450.tif 000003
【図３】
0003612450.tif 000004
【図４】
0003612450.tif 000005
【図５】
0003612450.tif 000006
【図６】
0003612450.tif 000007
【図７】
0003612450.tif 000008
【図８】
0003612450.tif 000009
【図９】
0003612450.tif 000010
【図１０】
0003612450.tif 000011
【図１１】
0003612450.tif 000012
【図１２】
0003612450.tif 000013
【図１３】
0003612450.tif 000014
【図１４】
0003612450.tif 000015
【図１５】
0003612450.tif 000016
【図１６】
0003612450.tif 000017
【図１７】
0003612450.tif 000018
【図１８】
0003612450.tif 000019
【図１９】
0003612450.tif 000020
【図２０】
0003612450.tif 000021